(57)【要約】      （修正有）【課題】電話を使用してどこからでも電話料無料で施錠できる電話遠隔施錠システムの提供。【解決手段】電話呼び出し信号の第一回目だけで電源供給される電気駆動動力で施錠できることを特徴とする電気施錠システムであり、また、施錠する時のみ極めて短時間だけ電力を消費し、長時間の施錠中及び非施錠中の待機消費電力は全く消費しないことを特徴とする電気施錠システムである。【選択図】図１
0003115201.tif 000002
【実用新案登録請求の範囲】
【請求項１】
電話の呼び出し信号（受信信号）を電源供給開始のスイッチとし、供給される電源による駆動力または／そして電磁力で施錠することを特徴とする施錠システム
【請求項２】
上記施錠システムは電話呼び出し信号受信と同時に施錠する時のみ極めて短時間だけ電力を消費し、長時間の施錠中及び非施錠中の待機消費電力を全く消費しないことを特徴とする請求項１記載の施錠システム
【考案の詳細な説明】
【技術分野】
【０００１】  この考案は、電話を使用してどこからでも電話料無料で施錠できる錠技術に関する。
【背景技術】
【０００２】  従来の施錠方法は錠の存在する場所で人間が直接施錠するか、電話による遠隔施錠の場合はコンピューターを使用して遠隔操作で施錠するものである。
【考案の開示】
【考案が解決しようとする課題】
【０００３】  しかしながら、以上の技術によれば、人が行う直接施錠の場合はうっかり忘れて外出し、不安になり、不法侵入の被害にあう危険性が生じる。また、コンピューターを使用した遠隔操作施錠システムは常にコンピューター用及び施錠状態保持用に電気エネルギーを消費し続け、遠隔操作のための電話通話料などの維持費用も負担となる。
そこで、この考案は、施錠忘れを思い出した時に電話通話料なしでいつでもどこからでも施錠でき、施錠状態保持用電気エネルギーは不要であるため電気料金維持費を極限まで下げ、省エネで環境保全にも役立つ電話遠隔施錠システムを提供することを課題とする。
【課題を解決するための手段】
【０００４】  以上の課題を解決するために、第一考案は、電話呼び出し信号の第一回目だけで電源供給される電気駆動動力で施錠できることを特徴とする電気施錠システムである。
また、第二考案は、施錠する時のみ極めて短時間だけ電力を消費し、長時間の施錠中及び非施錠中の待機消費電力は全く消費しないことを特徴とする電気施錠システムである。
【考案の効果】
【０００５】  第一考案によれば、電話呼び出し信号の第一回目だけで施錠が可能であるために電話通話料が不要となり、いつでもどこからでも外出時の不安を解消でき、施錠忘れの場合は不法侵入を未然に防ぐことが可能となる。または第二考案によれば、電力消費は施錠する時の極めて短時間だけであり消費電気エネルギーは極めて少なくなる。
【考案を実施するための最良の形態】
【０００６】  この考案の一実施形態を、図１に示す。
電気施錠システムは電話受信感知スイッチ部１、電源供給部２、そして錠部３から構成されている。【０００７】「実施形態の効果」
この実施形態によれば、電話線に接続された電話受信感知スイッチ部１が電話受信信号の最初の信号を感知すると同時に電源供給部２のスイッチを入れ、錠部３に電源を供給して錠部３が駆動して施錠する。一連の動きは電気、電子の速度で人間の感覚では１秒以内の動きである。施錠のための電源供給は極めて短時間であり、この時間以外の電源供給は不要で待機消費電力はゼロであり、常時通電による発熱原因の火災なども皆無に近くなる。施錠のための電話通話料はゼロであり、施錠のための消費電力量は極めて少ないために本施錠システムの維持費は従来のコンピューターを使用した施錠システムの維持費よりも大幅に下がる。少消費電力による省エネは環境保全にも貢献する。【０００８】「他の実施形態」
図１の実施形態では、一箇所の施錠であるが、他の実施形態では、施錠箇所は複数であっても良い。また、施錠は屋内だけでなく、屋外のガス栓の栓閉などであっても良い。
【図面の簡単な説明】
【０００９】
【図１】この考案の一実施形態を示す図である。
【図２】従来技術を示す図である。
【符号の説明】
【００１０】      １  電話受信感知スイッチ部            ２  電源供給部
３  錠部
【図１】
0003115201.tif 000003
【図２】
0003115201.tif 000004
【手続補正書】
【提出日】平成17年3月14日(2005.3.14)
【手続補正１】
【補正対象書類名】実用新案登録請求の範囲
【補正対象項目名】全文
【補正方法】変更
【補正の内容】
【実用新案登録請求の範囲】
【請求項１】
待機電力消費ゼロ状態の錠に電話の呼び出し信号（受信信号）を電源供給トリガーとして電気供給を開始し、供給される電気による駆動力または／そして電磁力で施錠または／そして開（解）錠することを特徴とする無料電話施錠システム
【請求項２】
電話呼び出し信号受信と同時に施錠または／そして開（解）錠する時のみ極めて短時間だけ電力を消費し、長時間の施錠中状態及び非施錠中状態または／そして開（解）錠中状態の間に待機消費電力を全く消費しないことを特徴とする請求項１記載の施錠システム
【手続補正２】
【補正対象書類名】明細書
【補正対象項目名】補正の内容のとおり
【補正方法】変更
【補正の内容】
0003115201.tif 000005
0003115201.tif 000006
0003115201.tif 000007
0003115201.tif 000008
0003115201.tif 000009
【手続補正書】
【提出日】平成17年7月4日(2005.7.4)
【手続補正１】
【補正対象書類名】手続補正書
【補正対象項目名】手続補正２
【補正方法】変更
【補正の内容】
【手続補正２】
【補正対象書類名】明細書
【補正対象項目名】０００４
【補正方法】変更
【補正の内容】
【０００４】請求項１及び請求項２に記載の機能を達成するために図３において以下の▲１▼から▲１２▼の電気的動作が連続的に行われます。
▲１▼電話回線（ＬＩＮＥ）より回線信号がはいると、Ｌ２に流れる電流はＤＢ１によって整流されフォトカプラ（ＰＣ２：ＮＥ８３５）の一次側発光ダイオード（ＬＥＤ）を通過の後、目的の電話機に流れます。
▲２▼上記の状態で、フォトカプラ（ＰＣ２：ＮＥ８３５）の内部ではＬＥＤが発光し、その光を検知した２次側のトランジスタがＯＮとなります。
▲３▼ＣＮ１には駆動部からの状態が入力されますが、アンロック時はＯＮ（ショート）、ロック時にはＯＦＦ（オープン）状態となっています。
▲４▼駆動部がアンロック状態で▲２▼のフォトカプラのトランジスタ（２次側）がＯＮになるとＡＣ１００Ｖから、ブリッジダイオード（ＤＢ２）で整流され、Ｒ２（３．９ＫΩ）とツェナーダイオード（ＺＤ２：１Ｚ２４）にてＤＣ２４Ｖに変換された電圧がオペアンプ（ＵＡ１：ＴＡ７５９９３ＡＰ）に供給されます。
▲５▼駆動部がロック状態の場合は、電源供給ラインはカットされた状態になっていますので電話回線信号を検出しても何も動作はしません。
▲６▼オペアンプ（ＵＡ１：ＴＡ７５９９３ＡＰ）の動作はコンパレータとして使用しており２つの入力端子（＋端子：３Ｐｉｎ、及び−端子：２Ｐｉｎ）の状態により出力（１Ｐｉｎ）がＯＮもしくはＯＦＦとなります。
具体的には、プラス端子（３Ｐｉｎ）の電圧が−端子（２Ｐｉｎ）の電圧より高い場合は出力（７Ｐｉｎ）はＯＮ（０ｖ）、逆の場合はＯＦＦ（２４Ｖ）です。
▲７▼電源がこのＩＣに供給された直後は、プラス端子（３Ｐｉｎ）の電圧は２４ＶをＲ４（１０ＫΩ）とＲ５（２０ＫΩ）で分圧しますので約１６Ｖとなります、
▲８▼実際の電話回線の状態はまだ通話状態ではなく呼びだし状態ですので、信号は呼び出し音に応じたパルス状態です、したがって、フォトカプラのＯＮ、ＯＦＦもパルス状態（入ったり、切れたりの状態）になります。
▲９▼オペアンプ（ＵＡ１：ＴＡ７５９９３ＡＰ）の出力側にはリレー（Ｘ１：Ｇ５Ａ２３７Ｐ）が接続されていて、ＵＡ１の出力がＯＮであればリレーもＯＮ、逆であればＯＦＦとなります。
最初のパルスでこのリレーがＯＮになるとＸ１の接点、Ｓ１、Ｐ１がＯＮとなり、自己保持がかかり、以降フォトカプラがＯＦＦになっても電源供給状態が継続されます。したがって必要な信号はのは最初の１パルスのみです。
▲１０▼マイナス端子（２Ｐｉｎ）の電圧はＣ２（１μＦ）とＲ３（６８０ＫΩ）の過渡現象によって電圧が決まりますが、電源投入時にはまだＣ２が充電されていないので０Ｖとなり、時間の経過とともに２４Ｖに近づいていきます。
Ｃ２とＲ３の時定数は両定数の積ですから０．６８秒となります。（これは電源電圧２４Ｖの約６３％に達する時の時間です）
▲１１▼上記の結果、−端子（２Ｐｉｎ）の電圧が時間の経過とともに上昇し、＋端子（３Ｐｉｎ）の電圧（約１６Ｖ）を越える時点で出力側はＯＮからＯＦＦへと反転します、時間に換算すると約０．５秒となります、
したがってオペアンプ（ＵＡ１：ＴＡ７５９９３ＡＰ）の出力側がＯＮしている時間が回線信号検出後０．５秒間と言うことになります。
▲１２▼リレー（Ｘ１：Ｇ５Ａ２３７Ｐ）がＯＮになれば、今度はＡＣ１００Ｖにつながっているリレー（Ｘ２：Ｇ２Ｒ２Ａ）がＯＮとなりＡＣ１００ＯＵＴが出力されます。
▲１３▼時間経過後オペアンプの出力がＯＦＦになるとＸ１がＯＦＦ、さらに連動してＸ２がＯＦＦとなり駆動電力及び制御電力が完全にカットされます。
このＡＣ１００ＶＯＵＴが実際のロックシステムの駆動源となりロック用のモータを駆動させます。なお、電話回線に信号がない状態では各回路には電源が一切供給されていない状態で、したがって消費電力もまったくのゼロとなります。
さらには、通話の必要がない場合には最初の呼び出し信号一回のみで上記一連の全動作を完了しますので、電話料金もまったく発生しません。


【手続補正２】
【補正対象書類名】手続補正書
【補正対象項目名】手続補正３
【補正方法】変更
【補正の内容】
【手続補正３】
【補正対象書類名】明細書
【補正対象項目名】０００９
【補正方法】変更
【補正の内容】
【０００９】
【図１】この考案の一実施形態を示す図である。
【図２】従来技術を示す図である。
【図３】待機電力ゼロ状態から電話で電源供給を開始する回路図
【手続補正３】
【補正対象書類名】手続補正書
【補正対象項目名】手続補正４
【補正方法】変更
【補正の内容】
【手続補正４】
【補正対象書類名】明細書
【補正対象項目名】００１０
【補正方法】変更
【補正の内容】
【００１０】    ■Ｌ１、Ｌ２    （モジュラーコネクタ）
電話回線信号ラインを接続します。
■ＤＢ１、ＤＢ２（整流用ダイオードブリッジ）
交流を直流に変換します。
■ＺＮＲ１  ノイズキラー素子
■Ｄ１、Ｄ２（ダイオード）
逆起電力による誤動作を防止します。
■ＺＤ２  （ツェナーダイオード）
制御用２４Ｖの定電圧を生成します。
■ＰＣ２（フォトカプラ）
電話回線信号を検出して、光を媒体として２次側に伝達します、両端子は電気的に      完全に絶縁された状態となります。
■ＵＡ１（オペアンプＩＣ）
コンパレータとしてスイッチングにまた２４Ｖ用リレーの駆動用に使用します。
■Ｘ１（２４Ｖ用リレー）
単発パルスのトリガにより制御回路に自己保持をかけ、同時に駆動用のリレーＸ２      を動作させます。
■Ｘ２（１００Ｖ用リレー）
施錠／開錠用のモーター／ソレノイドに１００Ｖを出力します。
■Ｓ１（モメンタリー式押しボタンスイッチ）
■ＣＮ１（コネクタ端子）
施錠／開錠の状態が入力されます。
■Ｒｎ  ：抵抗
Ｒ３はタイマー用
■Ｃｎ  用コンデンサ
Ｃ２はタイマー用


【手続補正４】
【補正対象書類名】手続補正書
【補正対象項目名】手続補正５
【補正方法】変更
【補正の内容】
【手続補正５】
【補正対象書類名】図面
【補正対象項目名】図３
【補正方法】追加
【補正の内容】
【図３】
0003115201.tif 000010
【手続補正５】
【補正対象書類名】手続補正書
【補正対象項目名】手続補正６
【補正方法】削除
【補正の内容】